(57)【要約】【課題】床面の下方に対する採光性を確保できるデッキ床構造を提供すること。【解決手段】バルコニ１０は、２階居室空間の床面と略同一高さ位置でかつ１階居室空間の外部上方の位置に並設される複数のデッキ材１１を備える。デッキ材１１は、略水平な上面部１１１と、１階居室空間に向かって下部が傾斜した傾斜側面部１１２とを有する。隣り合うデッキ材１１の上面部１１１同士が当該上面部１１１の幅寸法Ｗ以上の間隔Ｗgap1を介して設置される。従って、間隔Ｗgap1部分および傾斜側面部１１２を備えることで、間隔Ｗgap1部分を介して１階居室空間に矢印Ａの向きで日光を通すことができ、１階居室空間の採光性を確保できる。【選択図】図３
2008069590.tif 000002
【特許請求の範囲】
【請求項１】
上階空間と下階空間とを有した建物に設置されるデッキ床構造であって、
前記上階空間の床面と略同一高さ位置でかつ前記下階空間における採光対象部の外部上方の位置に並設される複数のデッキ材を備え、
これらのデッキ材は、略水平な上面部と、前記採光対象部に向かって下部が傾斜した採光対象部側の傾斜側面部とを有して形成され、
隣り合う前記デッキ材の上面部同士が当該上面部の幅寸法以上の間隔を介して設置されていることを特徴とするデッキ床構造。
【請求項２】
請求項１に記載のデッキ床構造において、
前記デッキ材は、前記上面部と前記傾斜側面部とが断面略ヘ字形の板状部材から形成されていることを特徴とするデッキ床構造。
【請求項３】
請求項１に記載のデッキ床構造において、
前記デッキ材は、前記上面部に対して略平行な底面部と前記傾斜側面部に対して略平行な第２側面部とを有して断面略平行四辺形状に形成され、前記上面部と前記第２側面部との角部が面取りされていることを特徴とするデッキ床構造。
【請求項４】
請求項３に記載のデッキ床構造において、
前記デッキ材は、中空状に形成されていることを特徴とするデッキ床構造。
【請求項５】
請求項１から請求項４のいずれかに記載のデッキ床構造において、
前記デッキ材は、木粉入りの樹脂から形成されていることを特徴とするデッキ床構造。
【請求項６】
請求項１から請求項５のいずれかに記載のデッキ床構造において、
前記デッキ材は、互いに略直交する二方向に並設されていることを特徴とするデッキ床構造。
【請求項７】
請求項１から請求項６のいずれかに記載のデッキ床構造において、
隣り合う前記デッキ材間に透光性のある樹脂製部材が設けられていることを特徴とするデッキ床構造。
【請求項８】
請求項１から請求項７のいずれかに記載のデッキ床構造を備えた建物。
【発明の詳細な説明】
【技術分野】
【０００１】
本発明は、デッキ床構造および建物に関する。詳しくは、上階空間と下階空間とを有した建物に設置されるデッキ床構造および建物に関する。
【背景技術】
【０００２】
従来、建物のバルコニ等に複数並設して設けられ、床面を構成するデッキ材、およびデッキ材を用いた屋外床構造が知られている（例えば、特許文献１参照）。この屋外床構造において、隣接するデッキ材の継ぎ目部分には連結部材が配置され、デッキ材および連結部材は、雄雌係合によって連結されている。
【０００３】
【特許文献１】特開平１１−２２９４８６号公報（図３、図４）
【発明の開示】
【発明が解決しようとする課題】
【０００４】
しかしながら、特許文献１で示される従来の屋外床構造（デッキ床構造）では、隣接するデッキ材同士が近接して配置されており、その下方に対する採光性を考慮したものではなかった。
【０００５】
本発明の目的は、床面の下方に対する採光性を確保できるデッキ床構造および建物を提供することである。
【課題を解決するための手段】
【０００６】
この目的を達成するために本発明のデッキ床構造および建物は、以下の構成を備える。
すなわち、図面を参照して説明すると、本発明のデッキ床構造は、上階空間３２と下階空間３１とを有した建物に設置されるデッキ床構造であって、前記上階空間３２の床面と略同一高さ位置でかつ前記下階空間３１における採光対象部Ｓ１の外部上方の位置に並設される複数のデッキ材１１を備え、これらのデッキ材１１は、略水平な上面部１１１と、前記採光対象部Ｓ１に向かって下部が傾斜した採光対象部側の傾斜側面部１１２とを有して形成され、隣り合う前記デッキ材１１の上面部１１１同士が当該上面部１１１の幅寸法Ｗ以上の間隔Ｗgap1を介して設置されていることを特徴とする。
ここで、デッキ材１１の高さ位置が上階空間３２の床面と略同一とは、上階空間３２からデッキ床構造に容易に出入りできる程度にデッキ材１１の高さ位置が設定されていることをいう。
【０００７】
このような構成によれば、デッキ材の上面部同士が間隔を介して設置され、傾斜側面部が採光対象部に向かって傾斜しているので、デッキ材同士の間隔部分を介して採光対象部に向かって日光を通すことができ、採光対象部への採光性を確保できる。
また、デッキ床構造上に立って下方を見る場合には、上面部同士の間隔部分に傾斜側面部が重なって見えることから、実際に視認される隙間は、上面部同士の間隔部分よりも小さくなり、安心感が得られる。
さらに、採光対象部の上方に位置する上階空間からは傾斜側面部によって遮られて下階空間が見えず、また、採光対象部とはデッキ床構造を介して反対側の下階空間からも傾斜側面部によって遮られて上階空間が見えない。従って、上階空間および下階空間の相互間のプライバシーを保護することができる。
【０００８】
本発明のデッキ床構造では、前記デッキ材１１Ｂは、前記上面部１１１Ｂと前記傾斜側面部１１２Ｂとが断面略ヘ字形の板状部材から形成されていることが好ましい。
このような構成によれば、デッキ材の上面部と傾斜側面部とが板状部材で形成されているので、デッキ材の重量が軽減され、デッキ床構造の軽量化を図ることができる。
【０００９】
本発明のデッキ床構造では、前記デッキ材１１は、前記上面部１１１に対して略平行な底面部１１３と前記傾斜側面１１２部に対して略平行な第２側面部１１４とを有して断面略平行四辺形状に形成され、前記上面部１１１と前記第２側面部１１４との角部が面取りされていることが好ましい。
【００１０】
このような構成によれば、断面略平行四辺形状のデッキ材の上面部および第２側面部との角部が面取りされているので、デッキ材において裸足が触れる部分に鋭角部が生じることを防止することができ、裸足に違和感を与えずに快適にデッキ床構造上を歩行できる。また、デッキ材の断面が略平行四辺形状に形成されているので、下方から見上げた時の外観が上方からの外観と同様となり、意匠性がよい。
【００１１】
本発明のデッキ床構造では、前記デッキ材１１は、中空状に形成されていることが好ましい。
このような構成によれば、断面略平行四辺形状のデッキ材が中空状に形成されているので、デッキ材の重量が軽減され、デッキ床構造の軽量化を図ることができる。
【００１２】
本発明のデッキ床構造では、前記デッキ材１１は、木粉入りの樹脂から形成されていることが好ましい。
このような構成によれば、デッキ材が木粉入りの樹脂によって形成されているので、耐候性および耐腐食性に優れるうえ、木材の雰囲気を得ることによって、優れた外観を有することができる。
【００１３】
本発明のデッキ床構造では、前記デッキ材１１Ａ，１２Ａは、互いに略直交する二方向に並設されていることが好ましい。
このような構成によれば、デッキ材が互いに略直交する二方向に並設されているので、二方向の採光対象物への採光が可能となり、かつ、隣地や外部等の二方向からの遮視が可能となる。従って、建物のプランや敷地条件等によって多様なバリエーションが可能となる。
【００１４】
本発明のデッキ床構造では、隣り合う前記デッキ材１１Ｃ，１１Ｄ間に透光性のある樹脂製部材１３，１４が設けられていることが好ましい。
このような構成によれば、樹脂製部材が透光性を有するので採光性を確保しつつ、隣り合うデッキ材間に樹脂製部材を設けることによって、デッキ材間の隙間が小さくなり、踏み心地が向上される。例えば、断面三角形の樹脂製部材をデッキ材の傾斜側面部に取り付けて、当該傾斜側面部に隣り合うデッキ材の上面部と樹脂製部材との間に僅かな隙間を設けることによって、排水性も確保することができる。
【００１５】
本発明の建物は、前記デッキ床構造を備えていることを特徴とする。
このような構成によれば、デッキ床構造を備えることによって、下階空間においてデッキ床構造と平面的に隣接する部分の採光性を確保することができる。また、上階空間および下階空間におけるデッキ床構造を挟むようにして配置される両部分の相互間のプライバシーを保護することができる。従って、上階空間および下階空間におけるデッキ床構造に隣接する部分を快適な空間とすることができる。
【発明を実施するための最良の形態】
【００１６】
［第１実施形態］
以下、本発明の第１実施形態を図１〜図３に基づいて説明する。
なお、後述する第２実施形態以降において、以下に説明する第１実施形態での構成部材と同じ構成部材および同様な機能を有する構成部材には同一符号を付し、説明を簡単にあるいは省略する。
【００１７】
［全体構成］
図１は、本実施形態の建物１を示す斜視図であり、図２は、建物１を示す縦断面図である。図３は、建物１におけるバルコニ１０を示す部分縦断面図である。
図１および図２において、建物１は、基礎２の上に設けられた建物本体３を備えて構成される。建物本体３は、上階空間としての２階の内部空間３２と、下階空間としての１階の内部空間３１とを有する。
【００１８】
１階の内部空間３１は、全体コ字状の平面形状に形成され、リビングルーム等の１階居室空間Ｓ１と、和室等の１階居室空間Ｓ２を備える。これらの１階居室空間Ｓ１，Ｓ２によって囲まれる屋外部分には中庭（インナーコート）４が形成される。また、２階の内部空間３２は、全体Ｌ字状の平面形状に形成され、寝室等の２階居室空間Ｓ３を備える。中庭４の上方で２階居室空間Ｓ３に隣接する位置の屋外部分には、デッキ床構造としてのバルコニ１０が配置される。２階居室空間Ｓ３および１階居室空間Ｓ２は、平面的にバルコニ１０を挟む位置関係となっている。１階居室空間Ｓ２の上方には２階の内部空間３２が形成されず、バルコニ１０と連続的に使用可能なルーフバルコニ５が形成される。
【００１９】
図２に示すように、１階居室空間Ｓ１，Ｓ２は、それぞれ中庭４へ出入りするためのサッシ窓３１１，３１２を備える。１階居室空間Ｓ１は、後述する採光対象部に設定されている。
２階居室空間Ｓ３は、バルコニ１０へ出入りするためのサッシ窓３２１を備える。２階居室空間Ｓ３の床面とバルコニ１０とは、適宜な床仕上げや防水仕上げ等の差分の段差があるものの、略同一高さ位置に設けられており、２階居室空間Ｓ３からバルコニ１０への出入りが容易にできるようになっている。
【００２０】
次に、図３も参照し、バルコニ１０の構造について詳しく説明する。
バルコニ１０は、１階居室空間Ｓ１の外側上方、つまり、中庭４の上方の位置に配置される複数のデッキ材１１を備えて構成される。デッキ材１１は、その各々が長尺状で１階居室空間Ｓ１の中庭４側の外壁面に略平行に配置されるとともに、１階居室空間Ｓ１から１階居室空間Ｓ２に向かう方向に沿って複数が並設される。
【００２１】
デッキ材１１は、略水平な上面部１１１と、１階居室空間Ｓ１側の傾斜側面部１１２と、底面部１１３と、第２側面部１１４とを有して構成される。そして、上面部１１１および底面部１１３は互いに略平行で、傾斜側面部１１２および第２側面部１１４も互いに略平行となっており、略平行四辺形の中空筒状の断面形状を有している。傾斜側面部１１２の傾斜の向きは、採光対象部としての１階居室空間Ｓ１に向いている（図２中、矢印Ａ）。そして、上面部１１１、傾斜側面部１１２、底面部１１３および第２側面部１１４は、それぞれアルミ製の形材の外周を木粉入りの樹脂で覆った２層構造となっている。
【００２２】
上面部１１１と第２側面部１１４との角部は、図３に示すように、面取りされ、丸みを有している。
隣り合うデッキ材１１の上面部１１１同士は、当該上面部１１１の幅寸法Ｗ以上の間隔Ｗgap1を介して設置される。また、隣り合うデッキ材１１の上面部１１１および底面部１１３間には、水平方向の隙間Ｗgap2が設けられている。
【００２３】
このような構成において、図２および図３に示すように、日光は、矢印Ａの向きでデッキ材１１の間隔Ｗgap1を通ってバルコニ１０と平面的に隣接する１階居室空間Ｓ１に達する。一方、２階居室空間Ｓ３からの視線Ｂ２は、デッキ材１１の傾斜側面部１１２によって遮られ、１階居室空間Ｓ２からの視線Ｂ１は、デッキ材１１の第２側面部１１４によって遮られる。
【００２４】
このような本実施形態によれば、以下のような効果がある。
（１）上面部１１１同士の間隔Ｗgap1部分と傾斜側面部１１２とを備えることで、間隔Ｗgap1部分を介して１階居室空間Ｓ１に向かって日光を通すことができ、１階居室空間Ｓ１の採光性を確保できる。
（２）バルコニ１０の上に立った場合には、上面部１１１の間隔Ｗgap1部分に傾斜側面部１１２が重なって見えることから、実際に視認される隙間Ｗgap2（図３）は、上面部の間隔Ｗgap1部分よりも小さくなり、安心感が得られる。
【００２５】
（３）２階居室空間Ｓ３からは傾斜側面部１１２によって遮られるために１階居室空間Ｓ２を見えなくすることができ、また、１階居室空間Ｓ２からは第２側面部１１４によって遮られるために２階居室空間Ｓ３を見えなくすることができる。従って、２階居室空間Ｓ３および１階居室空間Ｓ２の相互間のプライバシーを保護することができる。このようにしてバルコニ１０を平面的に挟むように配置される２つの居室空間を快適な空間とすることができる。
（４）上面部１１１および第２側面部１１４との角部が面取りされているので、デッキ材１１において裸足が触れる部分に鋭角部が生じることを防止することができ、裸足に違和感を与えずに快適にバルコニ１０上を歩くことができる。
【００２６】
（５）デッキ材１１が中空状に形成されているので、デッキ材１１の重量が軽減され、バルコニ１０の軽量化を図ることができる。
（６）デッキ材１１の外周が木粉入りの樹脂で覆われているので、優れた耐候性および耐腐食性を有することができるとともに、木材の雰囲気を得ることによって、優れた外観を有することもできる。
【００２７】
［第２実施形態］
次に、本発明の第２実施形態を図４に基づいて説明する。図４は、本実施形態に係るバルコニ１０Ａを示す平面図および縦断面図である。
バルコニ１０Ａは、平面視略正方形状に形成され、この正方形の対角線で２つの第１領域Ｘ１、第２領域Ｘ２（図中、２点鎖線で示す領域）に分けられている。第１領域Ｘ１にはデッキ材１１Ａが並設され、第２領域Ｘ２にはデッキ材１２Ａがデッキ材１１Ａに対し略直交して並設されている。以上の点が前述の第１実施形態のバルコニ１０と大きく相違するもので、その他の構成は略同様である。
【００２８】
第１領域Ｘ１では、日光は、矢印Ｃ１の向きでデッキ材１１Ａの間隔Ｗgap1Ａを通って第１領域Ｘ１に隣接する図示しない１階居室空間に達する。一方、この１階居室空間上方の図示しない２階居室空間からの視線Ｄ１は、デッキ材１１Ａによって遮られる。これに対して、第２領域Ｘ２では、日光は、矢印Ｃ２の向きでデッキ材１２Ａの間隔Ｗgap2Ａを通って第２領域Ｘ２に隣接する図示しない１階居室空間に達する。一方、この１階居室空間上方の図示しない２階居室空間からの視線Ｄ２は、デッキ材１２Ａによって遮られる。
このように二方向の１階居室空間への採光が確保されるとともに、二方向からの２階居室空間への遮視も確保される。
【００２９】
このような本実施形態によれば、前述の効果に加えて以下のような効果がある。
（７）デッキ材１１Ａ，１２Ａが互いに略直交する二方向に並設されているので、二方向の１階居室空間への採光がそれぞれ可能となり、かつ、隣地や外部等の二方向からの遮視も可能となる。従って、建物のプランや敷地条件等によって多様なバリエーションが可能となる。
【００３０】
なお、本発明は前述の実施形態に限定されるものではなく、本発明の目的を達成できる範囲での変形、改良等は本発明に含まれるものである。
例えば、本発明のデッキ床構造としては、図５に示すような構成を採用してもよい。図５は、本発明の変形例としてのバルコニ１０Ｂを示す部分縦断面図である。バルコニ１０Ｂは、上面部１１１Ｂと傾斜側面部１１２Ｂとが断面略ヘ字形の板状部材によって形成されたデッキ材１１Ｂを備えて構成されたものである。デッキ材１１Ｂは、第１実施形態のデッキ材１１における底面部１１３および第２側面部１１４を省略した構造となっており、板状部材の厚さ寸法あるいは材質を変更することよって強度が維持される。
このような構成によれば、デッキ材１１Ｂの重量が軽減され、バルコニ１０Ｂの軽量化を図ることができるとともに、デッキ材１１Ｂの構造が簡略化され、容易に製造することができる。
【００３１】
また、本発明に係るデッキ材としては、図６に示すような構成を採用してもよい。図６は、本発明の変形例としてのバルコニ１０Ｃを示す部分縦断面図である。バルコニ１０Ｃは、第１実施形態と同様に並設される断面略平行四辺形の中実構造で木粉入り樹脂製の複数のデッキ材１１Ｃと、隣り合うデッキ材１１Ｃ間に隙間無く設けられる断面略平行四辺形の透光性のある樹脂製部材１３とを備えて構成される。このような構成によれば、樹脂製部材１３が透光性を有するので採光性を確保しつつ、デッキ材１１間の隙間をなくし、踏み心地が向上される。
【００３２】
あるいは、図７に示すようなデッキ材であってもよい。図７は、本発明の他の変形例としてのバルコニ１０Ｄを示す部分縦断面図である。バルコニ１０Ｄは、断面略平行四辺形の中実構造で木粉入り樹脂製の複数のデッキ材１１Ｄと、このデッキ材１１Ｄにおける傾斜側面部１１２Ｄに取り付けられ断面略直角三角形の透光性のある樹脂製部材１４とを備えて構成されている。これらのデッキ材１１Ｄおよび樹脂製部材１４は、隣り合うデッキ材１１Ｄと樹脂製部材１４との間に僅かな隙間Ｗgap3を有するように複数が並設される。
ここで、隙間Ｗgap3は、傾斜側面部１１２に隣り合うデッキ材１１の上面部１１１と樹脂製部材１４との間に形成される。なお、デッキ材１１Ｄおよび樹脂製部材１４は、一体成形されたものでもよい。このような構成によれば、樹脂製部材１４によって、デッキ材１１間の隙間が小さくなり、踏み心地が向上されるとともに、隙間Ｗgap3によって、排水性も確保することができる。
【００３３】
また、前記第１実施形態では、デッキ材は、アルミ製の形材の外周を木粉入りの樹脂で覆われた二層構造で構成されていたが、本発明のデッキ材は、木粉入りの樹脂製であっても、金属製であってもよく、これら以外の材質で構成されてもよい。また、本発明のデッキ材は、中空状に形成されたものに限らず、断面略平行四辺形で柱状のものでもよく、板状部材で構成されたものでもよい。
【００３４】
また、本発明のデッキ床構造は、１階居室空間と２階居室空間との間に配置される場合に限らず、上階空間と下階空間とを有する建物に設けられたデッキ床構造であればよく、３階居室空間や中間階居室空間を有する建物にも適用できる。
また、本発明のデッキ床構造は、平面略コ字状に形成された中庭を有する建物に設けられたものに限らず、少なくとも、上階空間の床面と略同一高さ位置でかつ下階空間における採光対象部の外部上方の位置に設けられるデッキ床構造であればよく、例えば、上階空間から屋外に突出して設けられるデッキ床構造であってもよい。
【００３５】
その他、本発明を実施するための最良の構成、方法等は、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質等を限定した記載は、本発明の理解を容易にするために例示的に記載したものであり、本発明を限定するものではないから、それらの形状、材質等の限定の一部もしくは全部の限定を外した部材の名称での記載は、本発明に含まれるものである。
【産業上の利用可能性】
【００３６】
本発明は、住宅等の建物や、店舗等の建物に利用できる。
【図面の簡単な説明】
【００３７】
【図１】本発明の第１実施形態に係る建物を示す斜視図である。
【図２】前記建物を示す縦断面図である。
【図３】前記建物におけるデッキ床構造を示す部分縦断面図である。
【図４】第２実施形態に係るデッキ床構造を示す平面図および縦断面図である。
【図５】本発明の変形例に係るデッキ床構造を示す部分縦断面図である。
【図６】本発明の変形例に係るデッキ床構造を示す部分縦断面図である。
【図７】本発明の変形例に係るデッキ床構造を示す部分縦断面図である。
【符号の説明】
【００３８】
１…建物
１０，１０Ａ，１０Ｂ，１０Ｃ，１０Ｄ…バルコニ（デッキ床構造）
１１，１１Ａ，１１Ｂ，１１Ｃ，１１Ｄ，１２Ａ…デッキ材
１３，１４…樹脂製部材（樹脂）
３１…１階の内部空間（下階空間）
３２…２階の内部空間（上階空間）
１１１，１１１Ｂ，１１１Ｄ…上面部
１１２，１１２Ｂ，１１２Ｄ…傾斜側面部
１１３…底面部
１１４…第２側面部
Ｓ１…１階居室空間（採光対象部）
Ｗ…幅寸法
Ｗgap1，Ｗgap1Ａ，Ｗgap2Ａ…間隔。
【図１】
2008069590.tif 000003
【図２】
2008069590.tif 000004
【図３】
2008069590.tif 000005
【図４】
2008069590.tif 000006
【図５】
2008069590.tif 000007
【図６】
2008069590.tif 000008
【図７】
2008069590.tif 000009